(57)【要約】  過去に投稿されたメッセージと関連付けられた最新のメッセージがユーザに見落とされることを防止することができる。ユーザから入力される入力データを受け付ける入力部と、前記入力データを表示する複数の表示エリアを備え、ユーザからの入力データを当該ユーザに割り当てられた表示エリアに表示する表示部と、前記表示部に表示されている前記入力データ又は前記表示エリアのうち少なくともいずれ一方と関連していることを示す表示態様で、関連付け対象である入力データを、表示エリアに表示させる表示制御部と、を備える。
2014157148.tif 000002
【特許請求の範囲】
【請求項１】
ユーザから入力される入力データを受け付ける入力部と、
前記入力データを表示する複数の表示エリアを備え、ユーザからの入力データを当該ユーザに割り当てられた表示エリアに表示する表示部と、
前記表示部に表示されている前記入力データ又は前記表示エリアのうち少なくともいずれ一方と関連していることを示す表示態様で、関連付け対象である入力データを、表示エリアに表示させる表示制御部と、
を備える表示制御装置。
【請求項２】
前記表示制御部は、
前記表示部に表示されている前記入力データ又は前記表示エリアのうち、ユーザから指定される前記入力データ又は前記表示エリアと関連していることを示す表示態様で、前記関連付け対象である入力データを前記表示エリアに表示させる請求項１に記載の表示制御装置。
【請求項３】
前記表示制御部は、
前記表示エリアに表示された前記関連付け対象である入力データが、前記入力データ同士を関連付けるための表示画面内の一領域として予め決められた関連付け表示エリアに移動された場合、前記関連付け表示エリアに移動された前記入力データを、前記関連付け表示エリアに移動される他の入力データと関連している態様で、前記関連付け表示エリア又は前記表示エリアのうち少なくともいずれか一方に表示させる請求項１に記載の表示制御装置。
【請求項４】
前記表示制御部は、
前記入力部が受け付ける前記入力データが関連付け対象の条件を満たす場合、前記関連付け対象の条件を満たす前記入力データ同士が関連していることを示す表示態様で、前記関連付け対象の条件を満たす前記入力データを前記表示エリアに表示させる請求項１に記載の表示制御装置。
【請求項５】
前記表示制御部は、
前記入力データ同士に共通の文字が含まれている場合、当該入力データ同士が関連していることを示す表示態様で前記入力データを前記表示エリアに表示させる請求項４に記載の表示制御装置。
【請求項６】
前記表示制御部は、
前記表示部に表示されている前記入力データ又は前記表示エリアのうち、最新の入力データ又は前記最新の入力データを表示する表示エリアと関連していることを示す表示態様で、前記関連付け対象である入力データを、前記表示エリアに表示させる請求項１に記載の表示制御装置。
【請求項７】
前記入力部が、前記入力データを受け付ける際に、当該受け付けた入力データを他の入力データと関連付けないことを示す指示を受け付けた場合、
前記表示制御部は、
前記表示部が表示している前記他の入力データと関連していないことを示す表示態様で、前記入力部が受け付けた入力データを、前記入力データを受け付けるユーザに割り当てられた表示エリアに表示させる請求項１又は６に記載の表示制御装置。
【請求項８】
前記表示制御部は、
前記関連付け対象である入力データと被関連付け対象である入力データとが関連していることを示す場合、前記被関連付け対象である入力データを表示する吹き出し画像を前記関連付け対象である前記入力データを表示する吹き出し画像と連結させる第１表示態様、前記被関連付け対象である入力データを表示する前記表示エリアと同じ装飾を施した吹き出し画像内に前記関連付け対象である入力データを表示させる第２表示態様、前記被関連付け対象である入力データを表示する吹き出し画像と前記関連付け対象である入力データを表示する吹き出し画像とを囲むリンク線を表示する第３表示態様、および、前記被関連付け対象である入力データを表示する前記表示エリアの隣に前記関連付け対象である入力データが表示される前記表示エリアを表示する第４表示態様のうちいずれか一つの表示態様で、前記関連付け対象である入力データを表示させる請求項１から７のうちいずれか一項に記載の表示制御装置。
【請求項９】
前記表示制御部は、
前記関連付け対象である入力データと被関連付け対象である表示エリアとが関連していることを示す場合、前記被関連付け対象である表示エリアに表示される最新の入力データを表示する吹き出し画像を前記関連付け対象である前記入力データを表示する吹き出し画像と連結させる第１表示態様、前記被関連付け対象である表示エリアと同じ装飾を施した吹き出し画像内に前記関連付け対象である入力データを表示させる第２表示態様、前記被関連付け対象である表示エリアに表示される前記最新の入力データを表示する吹き出し画像と前記関連付け対象である入力データを表示する吹き出し画像とを囲むリンク線を表示する第３表示態様、又は、前記被関連付け対象である表示エリアの隣に前記関連付け対象である入力データが表示される前記表示エリアを表示する第４表示態様で、前記関連付け対象である入力データを表示させる請求項１から７のうちいずれか一項に記載の表示制御装置。
【請求項１０】
ユーザから入力される入力データを受け付け、
前記入力データを表示する複数の表示エリアのうち、各ユーザに割り当てられた表示エリアに、当該ユーザからの入力データを表示し、
前記ユーザからの入力データを表示する際、
前記表示エリアに表示されている前記入力データ又は前記表示エリアのうち少なくともいずれ一方と関連していることを示す表示態様で、関連付け対象である入力データを、表示エリアに表示させる表示制御方法。
【請求項１１】
コンピュータを、
ユーザから入力される入力データを受け付ける入力部、
前記入力データを表示する複数の表示エリアを備え、ユーザからの入力データを当該ユーザに割り当てられた表示エリアに表示する表示部、
前記表示部に表示されている前記入力データ又は前記表示エリアのうち少なくともいずれ一方と関連していることを示す表示態様で、関連付け対象である入力データを、表示エリアに表示させる表示制御部、
として機能させるためのプログラム。
【発明の詳細な説明】
【技術分野】
【０００１】
この発明は、表示制御装置、表示制御方法およびプログラムに関するものである。
【背景技術】
【０００２】
例えば、複数の端末機がネットワークを介して接続され、任意の端末機から入力されたメッセージをリアルタイムに他の端末機に表示して、参加者同士が会話するチャットシステムがある（特許文献１参考）。この特許文献１に記載されているチャットシステムでは、参加者のメッセージの内容の関連付けを参加者毎に個別に行って、関連付けの相関図を作成するものである。
【先行技術文献】
【特許文献】
【０００３】
【特許文献１】日本国特開２００１−３２５２００号公報
【発明の概要】
【発明が解決しようとする課題】
【０００４】
しかしながら、投稿されたメッセージが投稿された順に、メッセージを表示するタイムラインの上から下へ順次表示されるような投稿表示画面を利用する場合、過去のメッセージと新たに投稿されたメッセージとを関連付けるようにすると、新たに投稿されたメッセージが過去のメッセージを表示するタイムライン上に表示されるおそれがある。つまり、新たに投稿されたメッセージが最新のメッセージを表示する位置に表示されず、過去のメッセージの近くに表示されるおそれがあり、この場合、ユーザは最新のメッセージを見落としてしまうという問題がある。【０００５】
そこで本発明は、上記の課題を解決することができる表示制御装置、表示制御方法およびプログラムを提供することを目的とする。
【課題を解決するための手段】
【０００６】
この発明は上述した課題を解決するためになされたもので、本発明の一態様における表示制御装置は、ユーザから入力される入力データを受け付ける入力部と、前記入力データを表示する複数の表示エリアを備え、ユーザからの入力データを当該ユーザに割り当てられた表示エリアに表示する表示部と、前記表示部に表示されている前記入力データ又は前記表示エリアのうち少なくともいずれ一方と関連していることを示す表示態様で、関連付け対象である入力データを、表示エリアに表示させる表示制御部と、を備える。【０００７】
また、この発明は上述した課題を解決するためになされたもので、本発明の一態様における表示制御方法は、ユーザから入力される入力データを受け付け、前記入力データを表示する複数の表示エリアのうち、各ユーザに割り当てられた表示エリアに、当該ユーザからの入力データを表示し、前記ユーザからの入力データを表示する際、前記表示エリアに表示されている前記入力データ又は前記表示エリアのうち少なくともいずれ一方と関連していることを示す表示態様で、関連付け対象である入力データを、表示エリアに表示させる。【０００８】
また、この発明は上述した課題を解決するためになされたもので、本発明の一態様におけるプログラムは、コンピュータを、ユーザから入力される入力データを受け付ける入力部、前記入力データを表示する複数の表示エリアを備え、ユーザからの入力データを当該ユーザに割り当てられた表示エリアに表示する表示部、前記表示部に表示されている前記入力データ又は前記表示エリアのうち少なくともいずれ一方と関連していることを示す表示態様で、関連付け対象である入力データを、表示エリアに表示させる表示制御部、として機能させるためのプログラムである。
【発明の効果】
【０００９】
本発明は、過去に投稿されたメッセージと関連付けられた最新のメッセージがユーザに見落とされることを防止することができる。
【図面の簡単な説明】
【００１０】
【図１】本発明の一実施形態に係る表示制御装置の概要を示す図である。
【図２】本発明の一実施形態に係る投稿情報表示制御システムの概略を示す図である。
【図３】本発明の一実施形態に係る投稿情報表示制御システムの概略について説明するためのシーケンス図である。
【図４】本発明の一実施形態に係る投稿情報表示制御システムの基本的な構成要素の一例を示したブロック図である。
【図５】本発明の一実施形態に係る投稿情報テーブルの一例を説明するための図である。
【図６】本発明の一実施形態に係る表示態様例１の一例を説明するための図である。
【図７】本発明の一実施形態に係る表示態様例２の一例を説明するための図である。
【図８】本発明の一実施形態に係る表示態様例３の一例を説明するための図である。
【図９】本発明の一実施形態に係る表示態様例４の一例を説明するための図である。
【図１０】本発明の一実施形態に係る他の表示態様例の一例を説明するための図である。
【図１１】本発明の一実施形態に係る関連付け方法の一例について説明するためのフローチャートである。
【図１２】本発明の一実施形態に係る関連付け方法の他の一例について説明するためのフローチャートである。
【図１３】本発明の一実施形態に係る関連付け方法の他の一例について説明するためのフローチャートである。
【図１４】本発明の一実施形態に係る表示態様例５の一例を説明するための図である。
【図１５】本発明の一実施形態に係る関連付け方法の他の一例について説明するためのフローチャートである。
【図１６】本発明の一実施形態に係る関連付け方法の他の一例について説明するためのフローチャートである。
【発明を実施するための形態】
【００１１】
［第１実施形態］
以下、図面を参照して本発明の一実施形態について説明する。
図１は、本発明の一実施形態に係る表示制御装置１０００の概要を示す図である。この表示制御装置１０００は、入力部１１１と、表示部１１２と、表示制御部１２２とを備える。
入力部１１１は、ユーザから入力される入力データを受け付ける。
表示部１１２は、ユーザ毎に割り当てられた複数の表示エリアを表示する。この表示部１１２は、各ユーザが入力した入力データを、当該ユーザに割り当てられた表示エリアに表示する。
表示制御部１２２は、表示部１１２に表示されている入力データ又は表示エリアと関連していることを示す表示態様で、関連付け対象である入力データを、表示エリアに表示させる。
これら入力部１１１、表示部１１２、及び表示制御部１２２は、一台の装置に搭載されるものであってもよく、別々の装置に搭載されるものであってもよい。
【００１２】
図２は、本発明の一実施形態に係る投稿情報表示制御システム１００の概要を示す図である。
この投稿情報表示制御システム１００は、各ユーザの端末から投稿された入力データ（以下、メッセージという）を受け付け、ユーザ毎に割り当てられた表示エリアに受け付けたメッセージを表示する投稿表示画面をユーザの端末に表示させるシステムである。この投稿情報表示制御システム１００は、主として、携帯端末などの複数のユーザ端末（例えば、ユーザ端末１，３，４）と、投稿情報管理サーバ２とを備える。なお、複数のユーザ端末１，３，４は、投稿されたメッセージを共有する同一のグループに属するユーザ端末の一例である。このグループは、ユーザから指定可能であり、チャット形式で投稿したメッセージを共有するメンバーから構成される。本実施形態において、ユーザ端末１，３，４のユーザをユーザＡ，Ｂ，Ｃとする。
【００１３】
投稿情報管理サーバ２は、ＷＥＢ上に投稿されたメッセージを格納するデータベースを備え、この投稿されたメッセージを、予めグループ付けされた複数のユーザ端末１，３，４に提供するサーバである。この投稿情報管理サーバ２は、例えば、ＷＥＢ上に投稿されたメッセージの閲覧や、メッセージの作成、および作成したメッセージをＷＥＢ上に投稿するための投稿ＷＥＢサービスを提供するサーバである。
具体的に説明すると、投稿情報管理サーバ２は、この投稿ＷＥＢサービスに加入しているサービス加入者から投稿されるメッセージを収集し、グループごとに記録しておく。サービス加入者からの閲覧要求があれば、要求対象のメッセージを表示するグループごとの投稿表示画面のデータを、当該グループに属するサービス加入者の有する端末に送信する。なお、この投稿情報管理サーバ２は、個々のサーバに割り当てられる識別情報を用いて特定されるものであってもよく、例えば、投稿ＷＥＢサービスを提供するＷＥＢページのＵＲＬ（Ｕｎｉｆｏｒｍ Ｒｅｓｏｕｒｃｅ Ｌｏｃａｔｏｒ）を用いて特定されるものであってもよい。
【００１４】
また、投稿情報管理サーバ２は、ユーザ端末１，３，４等から投稿されたメッセージを取得した際、このメッセージが投稿されたときを示す投稿時刻情報と、投稿したユーザを識別するユーザ識別情報とを、それぞれ投稿されたメッセージに対応付けて、自身の記憶部に格納する。
なお、投稿時刻情報とは、投稿されたときを示す情報であって、例えば、投稿情報管理サーバ２が投稿されたメッセージを受信した時刻を示す情報であってもよく、ユーザ端末１等が投稿されたメッセージを送信した時刻を示す情報であってもよい。
【００１５】
これらユーザ端末１，３，４は、最寄りの基地局５Ａと交換機５Ｂとを介して、無線通信網（移動体通信網）５に接続されると、この無線通信網５を介して他のユーザ端末１，３，４との間で通話可能な状態となる。また、ユーザ端末１，３，４は、無線通信網５を介してインターネット６に接続されると、ＷｅｂサイトにアクセスしてＷＥＢページを閲覧可能である。
【００１６】
本実施形態では、表示制御装置１０００をユーザ端末１，３，４に搭載した一例について説明する。しかし、本発明はこれに限られず、表示制御装置１０００は、スマートフォン、携帯ゲーム機、ＰＤＡ（Ｐｅｒｓｏｎａｌ Ｄｉｇｉｔａｌ Ａｓｓｉｓｔａｎｔ）、タブレット型ＰＣ（Ｐｅｒｓｏｎａｌ Ｃｏｍｐｕｔｅｒ）、あるいは、ノート型ＰＣ等であってもよい。また、ユーザ端末１，３，４及び投稿情報管理サーバ２を含むシステムを表示制御装置１０００とする構成であってもよい。
【００１７】
次に、図３を参照して、本実施形態に係る投稿情報表示制御システム１００の概略について説明する。図３は、本実施形態に係る投稿情報表示制御システム１００の概略について説明するためのシーケンス図である。
【００１８】
（ステップＳＴ１０１）
ユーザ端末１，３，４から、ユーザＡ〜Ｃがメンバーとして属するグループのトークルームにメッセージが投稿されたとする。なお、トークルームとは、グループごとに作成される仮想的な投稿エリアである。ユーザＡ〜Ｃは、トークルームに参加するメンバーを登録することで、トークルームを作成することができる。また、ユーザＡ〜Ｃは、作成されたトークルームを指定してメッセージを投稿することで、指定したトークルームにメッセージを投稿することができる。つまり、投稿情報管理サーバ２は、ユーザＡ〜Ｃから指定されたメンバーだけで、投稿されたメッセージを共有するように、投稿されたメッセージを管理する。
【００１９】
ここで、ユーザ端末１，３，４は、投稿されたメッセージに、投稿したユーザを示すユーザ識別情報を対応付けた情報を、投稿情報管理サーバ２に送信する。このユーザ識別情報は、各投稿者に割り当てられた投稿者ＩＤ（識別子）であってもよく、各端末に割り当てられた端末ＩＤであってもよい。
また、ユーザ端末１は、メッセージが投稿されるときに、投稿されたメッセージを関連付ける関連先が指定された場合、指定された関連先を示す情報（以下、関連付け情報）を、投稿されたメッセージに対応づけて、投稿情報管理サーバ２に送信する。
例えば、ユーザ端末１，３，４において、投稿情報管理サーバ２が提供する投稿ＷＥＢサービスのＵＲＬが指定されると、ユーザ端末１，３，４は指定されたＵＲＬのＷＥＢページを投稿情報管理サーバ２に要求する。投稿情報管理サーバ２は、要求されたＷＥＢページをユーザ端末１，３，４に送信し、以降、ユーザ端末１，３，４は、受信したＷＥＢページを介して入力される情報を投稿情報管理サーバ２に送信する。なお、ここでは、投稿情報管理サーバ２が提供する投稿ＷＥＢサービスのＵＲＬを用いて投稿情報管理サーバ２への情報の送信先を特定する例について説明した。しかし、本発明はこれに限られず、投稿情報管理サーバ２に割り当てられた識別情報に基づき、ユーザ端末１，３，４が投稿情報管理サーバ２に情報を送信するものであってもよい。
【００２０】
（ステップＳＴ１０２）
そして、投稿情報管理サーバ２は、例えば、投稿情報を受信した時刻を投稿時刻として取得し、この投稿時刻を示す投稿時刻情報と、受信したメッセージおよびユーザ識別情報とをそれぞれ対応付けて、グループごとに、自身の記憶部に登録する。
このとき、投稿情報管理サーバ２は、受信したメッセージに関連付け情報が含まれているか否かを判定する。関連付け情報が含まれていると判定した場合、投稿情報管理サーバ２は、この関連付け情報をメッセージに対応付けて、自身の記憶部に登録する。
【００２１】
（ステップＳＴ１０３）
次いで、投稿情報管理サーバ２は、記憶部に登録したメッセージに関連付け情報が関連づけられているか否かを判定する。例えば、投稿情報管理サーバ２は、投稿されたメッセージとともに、関連付け情報を、ユーザ端末１，３，４から受信したか否かを判定する。投稿されたメッセージとともに関連付け情報を受信していると判定した場合、投稿情報管理サーバ２は、ステップＳＴ１０５の処理に移行する。
（ステップＳＴ１０４）
一方、投稿されたメッセージとともに関連付け情報を受信していないと判定した場合、投稿情報管理サーバ２は、投稿されたメッセージが関連付け対象の条件を満たしているか否かを判定する。例えば、投稿情報管理サーバ２は、投稿されたメッセージに含まれる文字情報を解析し、投稿されたトークルーム内において過去に投稿されたメッセージ内に、解析の結果得られた投稿されたメッセージに含まれる文字情報と共通する文字が含まれているか否かを判定する。なお、投稿情報管理サーバ２は、現時点から予め決められた所定期間内に投稿された過去のメッセージの中から、共通する文字が含まれているか否かを判定する。例えば、同一又は類似する地名、人物名、団体の名称、作品名、それ以外の頻出キーワード等が、所定期間内の過去に投稿されたメッセージと現時点において投稿されたメッセージに含まれている場合、投稿情報管理サーバ２は、両者が関連付け対象の条件を満たすと判定する。
【００２２】
（ステップＳＴ１０５）
ステップＳＴ１０３において、投稿されたメッセージとともに関連付け情報を受信していると判定した場合、又は、ステップＳＴ１０４において、投稿されたメッセージが関連付け対象の条件を満たしていると判定した場合、投稿情報管理サーバ２は、投稿されたメッセージ（関連付け対象）を関連先（被関連付け対象）に関連付けた投稿表示画面を作成する。なお、投稿されたメッセージを関連先に関連付けた投稿表示画面の作成処理において、投稿情報管理サーバ２は、例えば、後述する表示態様例１〜５のうちいずれか一つを実行することができる。なお、投稿情報管理サーバ２はこれに限られず、投稿されたメッセージが関連先に関連付いているように見える表示態様であれば、後述する例と異なる態様であってもよい。
（ステップＳＴ１０６）
一方、ステップＳＴ１０４において、投稿されたメッセージが関連付け対象の条件を満たしていないと判定した場合（つまり、投稿されたメッセージに関連付け情報もないと判定した場合も含む）、投稿情報管理サーバ２は、投稿されたメッセージを関連先に関連付けることなく、投稿したユーザの表示エリアに投稿されたメッセージを追加した投稿表示画面を作成する。
【００２３】
（ステップＳＴ１０７）
そして、投稿情報管理サーバ２は、ステップＳＴ１０５又はステップＳＴ１０６において作成された投稿表示画面のデータを、投稿されたユーザ識別情報に基づき、メッセージを投稿したユーザと同じグループに属する全てのユーザＡ〜Ｃの端末（本実施形態では、ユーザ端末１，３，４）に送信する。なお、この同じグループに属するユーザＡ〜Ｃのユーザ端末１，３，４のユーザ識別情報は、投稿情報管理サーバ２に登録されており、投稿情報管理サーバ２は、このユーザ識別情報を参照して、ユーザ端末１，３，４に投稿表示画面のデータを送信する。
（ステップＳＴ１０８）
同じグループに属するユーザ端末１，３，４は、投稿情報管理サーバ２から受信した投稿表示画面のデータに基づき、投稿された最新のメッセージを含む投稿表示画面を表示する。
【００２４】
次に、図４を参照して、ユーザ端末１及び投稿情報管理サーバ２の基本的な構成要素の一例について説明する。図４は、ユーザ端末１及び投稿情報管理サーバ２の基本的な構成要素の一例を示したブロック図である。なお、ユーザ端末３，４もユーザ端末１と同様の構成を有しているため、詳細な説明を省略する。
ユーザ端末１は、タッチパネル１０１と、制御部１０２と、通信部１０３と、記憶部１０４とを備える。
【００２５】
タッチパネル１０１は、一体的に設けられる入力部１１１と表示部１１２とを含む。
入力部１１１は、ユーザからの操作を受け付けるセンサーを備え、センサーの検出結果を制御部１０２に出力する。本実施形態において、入力部１１１は、操作画面に接触するユーザの指の接触位置を、一定の時間間隔ごとに、センサーを用いて検出し、このセンサーの検出結果を出力する。なお、本発明はこれに限られず、入力部１１１は、例えば、操作画面に近接するユーザの指や操作指示手段（スタイラスペン）等の位置を非接触センサーを用いて検出するものであってもよい。
表示部１１２は、制御部１０２の制御に応じた画像を表示する。本実施形態において、表示部１１２は、投稿されたメッセージをグループごとに表示する投稿表示画面を表示する。この表示部１１２は、入力部１１１の下層に配置され、表示部１１２が表示する投稿表示画面は、投稿された入力部１１１が操作を受け付ける際の操作画面として機能する。
なお、表示部１１２は、同一の表示デバイス内で複数に区分された表示領域を有するものであってもよく、表示領域毎に独立した表示デバイスから構成されるものであってもよい。
【００２６】
制御部１０２は、ＣＰＵ（Ｃｅｎｔｒａｌ  Ｐｒｏｃｅｓｓｉｎｇ  Ｕｎｉｔ）であって、記憶部１０４に格納されている各種情報を読み出し、ユーザ端末１を統括的に制御するとともに、各処理内容に合わせて機能する機能構成部を含む。この制御部１０２は、各機能構成部として、操作内容判定部１２１と、表示制御部１２２と、投稿部１２３とを備える。
【００２７】
操作内容判定部１２１は、操作を受け付けたタッチパネル１０１の入力部１１１からの出力に基づき、タッチパネル１０１が受け付けた操作内容を判定する。例えば、操作内容判定部１２１は、タッチパネル１０１の検出結果が示すユーザの指の接触位置（あるいは近接位置）および接触時間（あるいは近接時間）から、ユーザの指の動きを判定する。また、操作内容判定部１２１は、判定したユーザの指の動きと、当該操作を受け付けた際にタッチパネル１０１に表示されている画像との位置関係に基づき、判定したユーザの指の動きが示す操作内容を判定する。
例えば、操作内容判定部１２１は、表示画面のアイコン部分やテキスト部分にユーザの指が接触あるいは近接する操作をタッチパネル１０１の入力部１１１が検出した場合、その操作がタッチ操作であると判定する。また、操作内容判定部１２１は、タッチ操作が行われてアイコン部分や所定の操作領域が指示されている状態のまま、指が移動する操作をタッチパネル１０１が検出した場合、その操作がスライド操作であると判定する。さらに、操作内容判定部１２１は、表示画面のアイコンやテキスト部分にユーザの指が、予め決められた時間以上、接触あるいは近接する操作をタッチパネル１０１の入力部１１１が検出した場合、その操作が長タップ操作であると判定する。さらにまた、操作内容判定部１２１は、タッチ操作が行われてアイコンが指示されている状態のまま指が移動され、予め決められた移動先領域に指定されたアイコンが移動され、タッチ操作が解除された（例えば指が離された）操作をタッチパネル１０１が検出した場合、その操作がドラッグ＆ドロップ操作であると判定する。
また、操作内容判定部１２１は、判定結果に基づき、操作内容に応じた表示内容をタッチパネル１０１に表示するよう表示制御部１２２に指示する。
【００２８】
表示制御部１２２は、操作内容判定部１２１の判定結果が示す操作内容や通信部１０３を介して入力するコマンドに基づき、タッチパネル１０１に対する表示制御を実行する。
【００２９】
投稿部１２３は、入力されたメッセージをＷＥＢ上に投稿する。この投稿部１２３は、タッチパネル１０１に表示される入力欄を介して入力されたメッセージの投稿が指示された場合、入力されたメッセージに投稿者ＩＤ（あるいは端末ＩＤ）を対応付けて通信部１０３に出力する。これにより、通信部１０３は、投稿者ＩＤ（あるいは端末ＩＤ）が対応付けられたメッセージを投稿情報管理サーバ２に送信する。なお、これら投稿者ＩＤ及び端末ＩＤは、投稿したユーザを識別する識別情報である。投稿者ＩＤとは、メッセージを投稿情報管理サーバ２に投稿するメンバーに割り当てられる識別情報である。端末ＩＤとは、ユーザ端末に個々に割り当てられた固有の識別情報である。
【００３０】
また、投稿部１２３は、メッセージが投稿される際に、投稿されたメッセージを関連付ける関連先が指定された場合、指定された関連先を示す関連付け情報を作成し、投稿されたメッセージに対応づけて、投稿情報管理サーバ２に送信する。例えば、投稿部１２３は、タッチパネル１０１を介してユーザから関連先として過去のメッセージやグループに参加しているユーザ（又はユーザの表示エリア）が指定された場合、この指定されたメッセージやユーザ等を示す関連付け情報を作成する。この関連先の指定方法については、後述する。
なお、投稿部１２３は、この方法に限られず、関連先が指定されない場合、最新のメッセージ等を関連先と判定して関連付け情報を作成するものであってよく、投稿されたメッセージに過去のメッセージと共通する文字が含まれている場合には投稿されたメッセージに共通する文字を含む過去のメッセージを関連先と判定して関連付け情報を作成するものであってもよい。
【００３１】
通信部１０３は、基地局５Ａと交換機５Ｂを介して、無線通信網５やインターネット６と接続される。この通信部１０３は、例えば、インターネット６を介して、投稿されたメッセージ等の情報を投稿情報管理サーバ２に送信し、投稿情報管理サーバ２から送信されるメッセージ等の情報を受信する。
【００３２】
記憶部１０４は、ユーザ端末１の処理に用いる種々の情報を記憶する。この記憶部１０４は、作成中のメッセージを一時的に記憶したり、投稿情報管理サーバ２から受信した投稿表示画面のデータ、および、投稿者ＩＤ（あるいは端末ＩＤ）等を記憶したりする。なお、記憶部１０４は、例えば、ＳＤカード、ＩＣ（Ｉｎｔｅｇｒａｔｅｄ  Ｃｉｒｃｕｉｔ）カードなど、ユーザ端末１に対して着脱自在な可搬型メモリ（記録メディア）を含む構成であってもよく、図示しない所定の外部サーバ上にあってもよい。
【００３３】
投稿情報管理サーバ２は、入力部２０１と、制御部２０２と、通信部２０３と、記憶部２０４とを備える。
入力部２０１は、情報を入力するインターフェースや、操作を受け付けるインターフェースである。
制御部２０２は、ＣＰＵであって、記憶部２０４に格納されている各種情報を読み出し、投稿情報管理サーバ２を統括的に制御するとともに、各処理内容に合わせて機能する機能構成部を含む。この制御部２０２は、各機能構成部として、登録部２２１と、画像生成部２２２とを備える。
【００３４】
登録部２２１は、例えば、投稿情報を受信した時刻を投稿時刻として取得し、この投稿時刻を示す投稿時刻情報と、受信したメッセージおよびユーザ識別情報とをそれぞれ対応付けて、グループごとに、記憶部２０４内の投稿情報テーブルに書き込む。
このとき、登録部２２１は、受信したメッセージに関連付け情報が含まれているか否かを判定する。関連付け情報が含まれていると判定した場合、登録部２２１は、この関連付け情報をメッセージに対応付けて、記憶部２０４内の投稿情報テーブルに書き込む。
また、登録部２２１は、受信したメッセージが関連付け対象の条件を満たしているか否かを判定するものであってもよい。例えば、同一又は類似する地名、人物名、団体の名称、作品名、それ以外の頻出キーワード等が、所定期間内の過去に投稿されたメッセージと現時点において投稿されたメッセージに含まれている場合、登録部２２１は、両者が関連付け対象の条件を満たすと判定し、これらを関連付ける関連付け情報を作成し、これら関連するメッセージに関連付け情報を対応付けて、記憶部２０４内の投稿情報テーブルに書き込む。
【００３５】
画像生成部２２２は、記憶部２０４内の投稿情報テーブルを参照して、投稿表示画面に追加して表示するメッセージに、関連付け情報が関連づけられているか否かを判定する。例えば、画像生成部２２２は、投稿されたメッセージとともに、関連付け情報を、ユーザ端末１，３，４等から受信したか否かを判定する。
また、画像生成部２２２は、投稿表示画面に追加して表示するメッセージに、関連付け情報が関連づけられていないと判定した場合、投稿表示画面に追加して表示するメッセージが関連付け対象の条件を満たしているか否かを判定する。
例えば、画像生成部２２２は、投稿されたメッセージに含まれる文字情報を解析し、投稿されたトークルーム内において過去に投稿されたメッセージ内に、解析の結果得られた投稿されたメッセージに含まれる文字情報と共通する文字が含まれているか否かを判定する。例えば、同一又は類似する地名、人物名、団体の名称、作品名、それ以外の頻出キーワード等が、所定期間内の過去に投稿されたメッセージと現時点において投稿されたメッセージに含まれている場合、画像生成部２２２は、両者が関連付け対象の条件を満たすと判定する。
【００３６】
さらに、画像生成部２２２は、投稿表示画面に追加して表示するメッセージに、関連付け情報が関連づけられていると判定した場合、又は、投稿表示画面に追加して表示するメッセージが関連付け対象の条件を満たしていると判定した場合、投稿されたメッセージを関連先に関連付けた投稿表示画面を作成する。
なお、投稿されたメッセージを関連先に関連付けた投稿表示画面の作成処理において、画像生成部２２２は、例えば、後述する表示態様例１〜５のうちいずれか一つを実行することができる。
【００３７】
通信部２０３は、基地局５Ａと交換機５Ｂを介して、無線通信網５やインターネット６と接続される。この通信部２０３は、例えば、インターネット６を介して、投稿されたメッセージ等の情報をユーザ端末１，３，４から受信し、作成した投稿表示画面のデータをユーザ端末１，３，４に送信する。
【００３８】
記憶部２０４は、投稿情報管理サーバ２の処理に用いる種々の情報を記憶する。この記憶部２０４は、例えば、トークルームに参加しているグループごとにメンバーのユーザ識別情報を記憶しており、投稿されたメッセージ等が書き込まれた投稿情報テーブルを備える。また、記憶部２０４は、投稿情報管理サーバ２が提供する投稿ＷＥＢサービスのＵＲＬを記憶する。なお、記憶部２０４は、例えば、ＳＤカード、ＩＣカードなど、投稿情報管理サーバ２に対して着脱自在な可搬型メモリ（記録メディア）を含む構成であってもよく、図示しない所定の外部サーバ上にあってもよい。
【００３９】
次に、図５を参照して、投稿情報管理サーバ２の記憶部２０４に格納される投稿情報テーブルの一例について説明する。図５は、本実施形態における投稿情報テーブルの一例を示す図である。
図５に示す通り、投稿情報テーブルは、投稿時刻情報と、ユーザ識別情報と、メッセージと、関連付け情報とを、それぞれ対応付けて格納するテーブルである。
【００４０】
次に、図６を参照して、本実施形態に係る表示態様例１について説明する。図６は、本実施形態に係る表示態様例１の表示画面の一例を示す図である。
この表示態様例１は、入力部１１１が受け付ける入力データ（関連付け対象）と、表示部１１２の表示エリア内の被関連付け対象である入力データとが関連していることを示す場合、被関連付け対象である入力データを表示する吹き出し画像を、関連付け対象である入力データを表示する吹き出し画像と連結させる表示態様である。
また、表示態様例１は、入力部１１１が受け付ける入力データ（関連付け対象）と、表示部１１２の表示エリア内の被関連付け対象である入力データとが関連していることを示す場合、被関連付け対象である表示エリアに表示される最新の入力データを表示する吹き出し画像を、関連付け対象である入力データを表示する吹き出し画像と連結させる表示態様である。
図６には、ユーザＡに割り当てられた表示エリア（以下、ユーザＡの表示エリアという）と、ユーザＢに割り当てられた表示エリア（以下、ユーザＢの表示エリアという）と、ユーザＣに割り当てられた表示エリア（以下、ユーザＣの表示エリアという）と、を表示した投稿表示画面の一例を示す。これら表示エリアは、例えば、ユーザ毎に異なる色や模様で表されている。
【００４１】
ユーザＡの表示エリアには、「なるほど」「気のせい、気のせい」「さっきの話だけど」というメッセージが投稿された順に上から下へ表示されている。
ユーザＢの表示エリアには、「ひとごとのように聞こえるのは気のせい？」「ま、いいか」というメッセージが投稿された順に上から下へ表示されている。
ユーザＣの表示エリアには、「人生楽ありゃ苦もあるさ」「左に同じ」「そういえば明日って忙しい？」というメッセージが投稿された順に上から下へ表示されている。
なお、本実施形態では、投稿表示画面のＸＹ座標系において、各ユーザの表示エリアが、Ｙ軸方向に並べられている。また、各メッセージが、投稿された時系列で、Ｘ軸方向に並べられている。
【００４２】
また、本実施形態において、各メッセージは、図に示す通り、吹き出し画像の中に表示されている。この吹き出し画像は、メッセージを表示する吹き出しボディー部分と、この吹き出しボディー部分から引き出された引き出し線部分とを備える。この引き出し線部分は、図示の通り、吹き出しボディー部分から突出している鋭角状の形状を有する。この鋭角形状の先端（頂点）が指すメッセージが、当該吹き出し画像に表示されたメッセージが関連付けられる被関連付け対象のメッセージである。
本実施形態において、各メッセージは、当該メッセージよりも過去に投稿されたメッセージに関連付けられるものである。よって、投稿表示画面において、過去に投稿されたメッセージに関連付けられるメッセージは、過去に投稿されたメッセージを表示する吹き出し画像の吹き出しボディー部分の上に、重畳して、引き出し線部分が表示される。
【００４３】
具体的に説明すると、ユーザＢの「ひとごとのように聞こえるのは気のせい？」というメッセージの吹き出し画像の引き出し線部分の頂点は、ユーザＣの「人生楽ありゃ苦もあるさ」というメッセージの吹き出し画像の吹き出しボディー部分の上まで伸びている。これにより、ユーザＣの「人生楽ありゃ苦もあるさ」というメッセージに対して、ユーザＢの「ひとごとのように聞こえるのは気のせい？」というメッセージが関連付けられていることを表している。
また、ユーザＡの「気のせい、気のせい」というメッセージの吹き出し画像の引き出し線部分の頂点は、ユーザＢの「ひとごとのように聞こえるのは気のせい？」というメッセージの吹き出し画像の吹き出しボディー部分の上まで伸びている。これにより、ユーザＢの「ひとごとのように聞こえるのは気のせい？」というメッセージに対して、ユーザのＡの「気のせい、気のせい」というメッセージが関連付けられていることを表している。
さらに、ユーザＣの「左に同じ」というメッセージの吹き出し画像の引き出し線部分の頂点は、ユーザＡの「気のせい、気のせい」というメッセージの吹き出し画像の吹き出しボディー部分の上まで伸びている。これにより、ユーザＡの「気のせい、気のせい」というメッセージに対して、ユーザＣの「左に同じ」というメッセージが関連付けられていることを表している。
【００４４】
このようにして、吹き出しの引き出し線を用いて、各メッセージが関連付けて表示されるため、図６に示した投稿表示画面を見たユーザは、「人生楽ありゃ苦もあるさ」→「ひとごとのように聞こえるのは気のせい？」→「気のせい、気のせい」→「左に同じ」という一連のメッセージが、それぞれ関連付けられた話題に基づくものであると直感的に認識することができる。
一方、ユーザＡの「さっきの話だけど」というメッセージや、ユーザＣの「そういえば明日って忙しい？」というメッセージは、いずれのメッセージとも関連付けられていない。このため、図６に示した投稿表示画面を見たユーザは、これらメッセージが、新たな話題に関するものであると直感的に認識することができる。
【００４５】
また、図６に示す通り、メッセージは、時系列でＸ軸方向に並べて表示される。よって、この図６に示した投稿表示画面を見たユーザは、これらメッセージの投稿順序についても、直感的に認識することができる。
さらに、図６に示す通り、各メッセージは、各ユーザに割り当てられた表示エリア上に表示される。よって、この図６に示した投稿表示画面を見たユーザは、これらメッセージの投稿者についても、直感的に認識することができる。
【００４６】
次に、図７を参照して、本実施形態に係る表示態様例２について説明する。図７は、本実施形態に係る表示態様例２の投稿表示画面の一例を示す図である。
この表示態様例２は、入力部１１１が受け付ける入力データ（関連付け対象）と、表示部１１２の表示エリア内の被関連付け対象である入力データとが関連していることを示す場合、被関連付け対象である入力データを表示する表示エリアと同じ装飾を施した吹き出し画像内に、関連付け対象である入力データを表示させる表示態様である。
また、表示態様例２は、入力部１１１が受け付ける入力データ（関連付け対象）と、表示部１１２の表示エリア内の被関連付け対象である入力データとが関連していることを示す場合、被関連付け対象である表示エリアと同じ装飾を施した吹き出し画像内に関連付け対象である入力データを表示させる表示態様である。
なお、図６を参照して説明した通り、投稿されたメッセージが吹き出し画像内に表示される点、各ユーザＡ〜Ｃに割り当てられた表示エリアが投稿表示画面の最下層に表示されている点、及び、投稿された時刻順に各メッセージが表示されている点は、表示態様例２も同様である。ここで、表示態様例１との相違点を中心に説明すると、表示態様例２では、関連付けられた吹き出し画像の色や模様等の装飾が、被関連付け対象である各ユーザＡ〜Ｃの表示エリアの色や模様と同じである点で表示態様例１と異なる。
【００４７】
具体的に説明すると、ユーザのＢの「ひとごとのように聞こえるのは気のせい？」というメッセージの吹き出し画像の色及び模様が、ユーザＣの表示エリアの色及び模様と同じである。これにより、ユーザのＢの「ひとごとのように聞こえるのは気のせい？」というメッセージは、ユーザＣのメッセージに関連付けられていることを表している。
また、ユーザＡの「気のせい、気のせい」というメッセージの吹き出し画像の色及び模様が、ユーザＢの表示エリアの色及び模様と同じである。これにより、ユーザＡの「気のせい、気のせい」というメッセージが、ユーザＢのメッセージに関連付けられていることを表している。
さらに、ユーザＣの「左に同じ」というメッセージの吹き出し画像の色及び模様が、ユーザＡの表示エリアの色及び模様と同じである。これにより、ユーザＣの「左に同じ」というメッセージが、ユーザＡのメッセージに関連付けられていることを表している。
【００４８】
このようにして、吹き出し画像の色や模様を、各ユーザに割り当てられた表示エリアの色や模様と同一としているため、投稿されたメッセージがユーザに関連付けられていることを表すことができる。また、メッセージは投稿時刻に基づき時系列に表示されているため、関連付けられたユーザが過去に投稿したメッセージのうち投稿時刻が近いメッセージと関連付けられていることを表すことができる。これにより、図７に示した投稿表示画面を見たユーザは、「人生楽ありゃ苦もあるさ」→「ひとごとのように聞こえるのは気のせい？」→「気のせい、気のせい」→「左に同じ」という一連のメッセージが、それぞれ関連付けられた話題に基づくものであると直感的に認識することができる。
一方、ユーザＡの「さっきの話だけど」というメッセージや、ユーザＣの「そういえば明日って忙しい？」というメッセージは、いずれのユーザの表示エリアの色や模様とも異なる色や模様（例えば、無地の白色）で表された吹き出し画像上に表示されている。よって、これらメッセージは、いずれのメッセージとも関連付けられていないことを表している。このため、図７に示した投稿表示画面を見たユーザは、これらメッセージが、新たな話題に関するものであると直感的に認識することができる。
【００４９】
次に、図８を参照して、本実施形態に係る表示態様例３について説明する。図８は、本実施形態に係る表示態様例３の表示画面の一例を示す図である。
この表示態様例３は、入力部１１１が受け付ける入力データ（関連付け対象）と、表示部１１２の表示エリア内の被関連付け対象である入力データとが関連していることを示す場合、被関連付け対象である入力データを表示する吹き出し画像と関連付け対象である入力データを表示する吹き出し画像とを囲むリンク線を表示する表示態様である。
また、表示態様例３は、入力部１１１が受け付ける入力データ（関連付け対象）と、表示部１１２の表示エリア内の被関連付け対象である入力データとが関連していることを示す場合、被関連付け対象である表示エリアに表示される最新の入力データを表示する吹き出し画像と関連付け対象である入力データを表示する吹き出し画像とを囲むリンク線を表示する表示態様である。
【００５０】
図６，７を参照して説明した通り、投稿されたメッセージが吹き出し画像内に表示される点、各ユーザＡ〜Ｃに割り当てられた表示エリアが表示画面の最下層に表示されている点、及び、投稿された時刻順に各メッセージが表示されている点は、表示態様例３でも同様である。ここで、表示態様例１，２との相違点を中心に説明すると、表示態様例３は、関連付けられた一連のメッセージの吹き出し画像が、リンク線で囲まれている点において表示態様例１，２と異なる。
【００５１】
具体的に説明すると、ユーザＣの「人生楽ありゃ苦もあるさ」というメッセージの吹き出し画像と、ユーザＢの「ひとごとのように聞こえるのは気のせい？」というメッセージの吹き出し画像と、ユーザＡの「気のせい、気のせい」というメッセージの吹き出し画像と、ユーザＣの「左に同じ」というメッセージの吹き出し画像とが、環状のリンク線で囲まれている。これにより、これらメッセージは、互いに関連付けられている一連のメッセージであることを表している。
また、メッセージは投稿時刻に基づき時系列に表示されているため、関連付けられたユーザが過去に投稿したメッセージと関連付けられていることを表すことができる。これにより、図８に示した投稿表示画面を見たユーザは、「人生楽ありゃ苦もあるさ」→「ひとごとのように聞こえるのは気のせい？」→「気のせい、気のせい」→「左に同じ」という順番で投稿された一連のメッセージが、それぞれ関連付けられた話題に基づくものであると直感的に認識することができる。
一方、ユーザＡの「さっきの話だけど」というメッセージや、ユーザＣの「そういえば明日って忙しい？」というメッセージは、このリンク線の環の外側に表示されている。よって、これらメッセージは、いずれのメッセージとも関連付けられていないことを表している。このため、図８に示した投稿表示画面を見たユーザは、これらメッセージが、新たな話題に関するものであると直感的に認識することができる。
【００５２】
次に、図９を参照して、本実施形態に係る表示態様例４について説明する。図９は、本実施形態に係る表示態様例４の投稿表示画面の一例を示す図である。
この表示態様例４は、入力部１１１が受け付ける入力データ（関連付け対象）と、表示部１１２の表示エリア内の被関連付け対象である入力データとが関連していることを示す場合、被関連付け対象である入力データを表示する表示エリアの隣に、関連付け対象である入力データが表示される表示エリアを表示する表示態様である。
また、表示態様例４は、入力部１１１が受け付ける入力データ（関連付け対象）と、表示部１１２の表示エリア内の被関連付け対象である入力データとが関連していることを示す場合、被関連付け対象である表示エリアの隣に、関連付け対象である入力データが表示される表示エリアを表示する表示態様である。
【００５３】
なお、図６を参照して説明した通り、投稿されたメッセージが吹き出し画像内に表示される点、各ユーザＡ〜Ｃに割り当てられた表示エリアが表示画面の最下層に表示されている点、投稿された時刻順に各メッセージが表示されている点、及び、引き出し線部分が被関連付け対象であるメッセージの吹き出し画像と接触している点は、表示態様例４でも同様である。ここで、表示態様例１との相違点を中心に説明すると、表示態様例４は、各ユーザに割り当てられた表示エリアのＹ軸方向の並び順が、関連付けられたメッセージを投稿したユーザに応じて変更される点で表示態様例１と異なる。
【００５４】
具体的に説明すると、「今晩ごはんいける人？」というメッセージが、ユーザＣから投稿されたとする。この場合、ユーザＣの表示エリア上に「今晩ごはんいける人？」というメッセージを表示した吹き出し画像が表示される。
その後、「はーい。いけます！」というメッセージが、ユーザＣの「今晩ごはんいける人？」というメッセージに関連付けて、ユーザＡから投稿されたとする。この場合、ユーザＡの表示エリア上に、「はーい。いけます！」というメッセージを表示した吹き出し画像が表示される。
【００５５】
ここで、表示態様例１の場合、図９（Ａ）に示す通り、「はーい。いけます！」というメッセージを表示した吹き出し画像の引き出し線部分が、「今晩ごはんいける人？」というメッセージを表示した吹き出し画像に接触させて表示されて、これらメッセージが関連付けられていることを表す。しかし、ユーザＡの表示エリアとユーザＣの表示エリアの間には、ユーザＢの表示エリアが表示されているため、「はーい。いけます！」というメッセージを表示した吹き出し画像の引き出し線部分が、ユーザＢの表示エリアを跨いで表示されている。
【００５６】
本実施形態に係る表示態様例４は、図９（Ｂ）に示す通り、「はーい。いけます！」というメッセージを表示した吹き出し画像の引き出し線部分を、「今晩ごはんいける人？」というメッセージを表示した吹き出し画像に接触させて表示するとともに、ユーザＡの表示エリアをユーザＣの表示エリアの隣に移動させる。これにより、ユーザＡの表示エリアとユーザＣの表示エリアが近づき、ユーザＣの「今晩ごはんいける人？」というメッセージと、ユーザＡの「はーい。いけます！」というメッセージとの距離も近づく。よって、図９（Ｂ）に示した投稿表示画面を見たユーザは、「今晩ごはんいける人？」→「はーい。いけます！」という一連のメッセージが、それぞれ関連付けられた話題に基づくものであると直感的に認識することができる。
【００５７】
なお、本実施形態に係る投稿表示画面は、図１０に示す通り、一つの表示エリアに２以上のユーザが割り当てられるものであってもよく、タッチパネル１０１の表示部１１２の画面内に収まらない部分の画像は、例えば入力部１１１を介して入力されるスライド操作等に基づき、表示されるものであってもよい。
【００５８】
次に、図１１を参照して、被関連付け対象であるメッセージに、関連付け対象であるメッセージを関連付けるための方法の一例について説明する。図１１は、被関連付け対象であるメッセージに、関連付け対象であるメッセージを関連付けるための方法の一例について説明するためのフローチャートである。なお、ここでは、図６〜８を参照して説明した表示態様例１〜３において、ユーザＣの「人生楽ありゃ苦もあるさ」というメッセージに対して、ユーザＢの「ひとごとのように聞こえるのは気のせい？」というメッセージを関連付けるための方法の一例を用いて具体的に説明する。
【００５９】
（ステップＳＴ１１）
ユーザ端末３は、入力部１１１を介して、指定されたグループのトークルームを見ることがユーザＢから指示される。すると、ユーザ端末３は、通信部１０３を介して、指定されたグループのトークルームの投稿表示画面の送信要求を、投稿情報管理サーバ２に送信する。投稿情報管理サーバ２は、この投稿表示画面の送信要求を受信すると、記憶部２０４を参照して、投稿表示画面を作成する。
【００６０】
本実施形態において、指定されたグループのトークルームには、ユーザＡ〜Ｃが参加しており、ユーザＣの「人生楽ありゃ苦もあるさ」というメッセージと、ユーザＡの「なるほど」というメッセージが投稿されているとする。
よって、投稿情報管理サーバ２の画像生成部２２２は、指定されたグループのトークルームに参加しているユーザＡ〜Ｃの表示エリアを表示画面の最下層とする画像を作成する。そして、画像生成部２２２は、ユーザＣの「人生楽ありゃ苦もあるさ」というメッセージを含む吹き出し画像をユーザＣの表示エリアの上に、ユーザＡの「なるほど」というメッセージを含む吹き出し画像をユーザＡの表示エリアの上に、それぞれ、投稿された時刻に従いＸ軸方向にずらして表示する投稿表示画面のデータを作成する。
この画像生成部２２２は、生成した投稿表示画面のデータを、通信部２０３を介して、ユーザ端末１，３，４に送信する。
これにより、ユーザ端末３は、受信した投稿表示画面のデータに基づき、投稿表示画面を表示部１１２に表示させる。つまり、表示部１１２は、ユーザＣの「人生楽ありゃ苦もあるさ」というメッセージを含む吹き出し画像をユーザＣの表示エリアの上に、ユーザＡの「なるほど」というメッセージを含む吹き出し画像をユーザＡの表示エリアの上に、それぞれ、投稿された時刻に従いＸ軸方向にずらして表示する。
【００６１】
（ステップＳＴ１２）
次いで、ユーザ端末３の投稿部１２３は、タッチパネル１０１に表示される入力欄を介して入力されたメッセージの投稿が指示された場合、投稿されたメッセージを関連付ける関連先が指定されたか否かを判定する。ここでは、投稿部１２３が、投稿されたメッセージを関連付ける関連先としてメッセージが指定されたか否かを判定する。
この投稿されたメッセージを関連付ける関連先としてメッセージが指定されたと判定する場合とは、例えば、メッセージの投稿が指示される際に、被関連付け対象であるメッセージの吹き出し画像が長タップ又はタッチされた場合である。
【００６２】
（ステップＳＴ１３）
ここでは、ユーザＢが「ひとごとのように聞こえるのは気のせい？」というメッセージを投稿する際に、ユーザＣの「人生楽ありゃ苦もあるさ」というメッセージの吹き出し画像が長タップ又はタッチされたとする。
この場合、投稿部１２３は、指定された関連先であるメッセージ（つまり、ユーザＣの「人生楽ありゃ苦もあるさ」というメッセージ）を示す関連付け情報を作成し、作成した関連付け情報を「ひとごとのように聞こえるのは気のせい？」というメッセージに対応付けて、投稿情報管理サーバ２に送信する。
これにより、投稿情報管理サーバ２の登録部２２１は、「ひとごとのように聞こえるのは気のせい？」というメッセージを投稿情報テーブルに書き込む際、このメッセージに対応付けて、指定された関連先であるメッセージ（つまり、ユーザＣの「人生楽ありゃ苦もあるさ」というメッセージ）を示す関連付け情報を書き込む。
【００６３】
また、投稿情報管理サーバ２の画像生成部２２２は、ステップＳＴ１１において作成した投稿表示画面に対して、ユーザＣの「人生楽ありゃ苦もあるさ」というメッセージに関連づけられていることを表す表示態様で、ユーザＢの「ひとごとのように聞こえるのは気のせい？」というメッセージを追加した投稿表示画面を作成する。例えば、画像生成部２２２は、表示態様例１〜４のうちいずれか一つの表示態様例に従って、投稿表示画面を作成する。
そして、投稿情報管理サーバ２は、作成した投稿表示画面のデータをユーザ端末３に送信し、ユーザ端末３は、受信したデータに基づき投稿表示画面を表示する。
これにより、投稿された関連付け対象であるメッセージを、被関連付け対象であるメッセージに関連付けて表示する投稿表示画面を、ユーザ端末３に表示させることができる。
【００６４】
次に、図１２を参照して、被関連付け対象である表示エリア（ユーザ）に、関連付け対象であるメッセージを関連付けるための方法の一例について説明する。図１２は、被関連付け対象である表示エリア（ユーザ）に、関連付け対象であるメッセージを関連付けるための方法の一例について説明するためのフローチャートである。なお、ここでは、図６〜８を参照して説明した表示態様例１〜３において、ユーザＣの「人生楽ありゃ苦もあるさ」というメッセージに対して、ユーザＢの「ひとごとのように聞こえるのは気のせい？」というメッセージを関連付けるための方法の一例を用いて具体的に説明する。
【００６５】
（ステップＳＴ２１）
上述のステップＳＴ１１と同じ処理であるため、詳細な説明は省略する。
（ステップＳＴ２２）
次いで、ユーザ端末３の投稿部１２３は、タッチパネル１０１に表示される入力欄を介して入力されたメッセージの投稿が指示された場合、投稿されたメッセージを関連付ける関連先が指定されたか否かを判定する。ここでは、投稿部１２３が、投稿されたメッセージを関連付ける関連先として表示エリア（ユーザ）が指定されたか否かを判定する。
この投稿されたメッセージを関連付ける関連先として表示エリア（ユーザ）が指定されたと判定する場合とは、例えば、メッセージの投稿が指示される際に、被関連付け対象である表示エリア又はユーザ名のアイコンが長タップ又はタッチされた場合である。
【００６６】
（ステップＳＴ２３）
ここでは、ユーザＢが「ひとごとのように聞こえるのは気のせい？」というメッセージを投稿する際に、ユーザＣの表示エリアが長タップ又はタッチされたとする。
この場合、投稿部１２３は、指定された関連先であるメッセージ（つまり、ユーザＣ）を示す関連付け情報を作成し、作成した関連付け情報を「ひとごとのように聞こえるのは気のせい？」というメッセージに対応付けて、投稿情報管理サーバ２に送信する。
これにより、投稿情報管理サーバ２の登録部２２１は、「ひとごとのように聞こえるのは気のせい？」というメッセージを投稿情報テーブルに書き込む際、このメッセージに対応付けて、指定された関連先であるメッセージ（つまり、ユーザＣ）を示す関連付け情報を書き込む。
【００６７】
また、投稿情報管理サーバ２の画像生成部２２２は、ステップＳＴ２１において作成した投稿表示画面に対して、ユーザＣに関連づけられていることを表す表示態様で、ユーザＢの「ひとごとのように聞こえるのは気のせい？」というメッセージを追加した投稿表示画面を作成する。例えば、画像生成部２２２は、表示態様例１〜４のうちいずれか一つの表示態様例に従って、投稿表示画面を作成する。なお、ここでは、関連先のメッセージが特定されていないため、画像生成部２２２は、関連先のユーザの最新のメッセージに関連付けた表示態様の投稿表示画面を作成するものであってもよい。
そして、投稿情報管理サーバ２は、作成した投稿表示画面のデータをユーザ端末３に送信し、ユーザ端末３は、受信したデータに基づき投稿表示画面を表示する。
これにより、投稿された関連付け対象であるメッセージを、被関連付け対象であるメッセージに関連付けて表示する投稿表示画面を、ユーザ端末３に表示させることができる。
【００６８】
次に、図１３を参照して、予め決められた関連付け表示エリアに移動された関連付け対象であるメッセージを、被関連付け対象であるメッセージに関連付けるための方法の一例について説明する。図１３は、被関連付け対象であるメッセージに、関連付け対象であるメッセージを関連付けるための方法の一例について説明するためのフローチャートである。なお、ここでは、図６〜８を参照して説明した表示態様例１〜３において、ユーザＣの「人生楽ありゃ苦もあるさ」というメッセージに対して、ユーザＢの「ひとごとのように聞こえるのは気のせい？」というメッセージを関連付けるための方法の一例を用いて具体的に説明する。
【００６９】
（ステップＳＴ３１）
上述のステップＳＴ１１と同じ処理については、詳細な説明は省略する。なお、上述した表示態様例と異なる点を説明すると、図１４に示すような関連付け表示エリアを含む投稿画像を、投稿情報管理サーバ２の画像生成部２２２が作成する点が上述した表示態様例と異なる。図１４には、ここで作成される投稿表示画面の一例（表示態様例５）を示す。図１４に示す通り、関連付け表示エリアは、Ｙ軸方向に各ユーザの表示エリアと並んで表示されている。この関連付け表示エリアは、互いに関連付けられるメッセージを表示する表示エリアである。この関連付け表示エリアも、各ユーザの表示エリアと同様、投稿された時刻に従って、上から下に向かってメッセージが順番に表示される。
【００７０】
（ステップＳＴ３２）
次いで、ユーザ端末３の投稿部１２３は、投稿されたメッセージを関連付ける関連先が指定されたか否かを判定する。ここでは、投稿部１２３が、例えば、ドラッグ＆ドロップ操作の結果、投稿されたメッセージが関連付け表示エリアに移動されたか否かを判定する。
【００７１】
（ステップＳＴ３３）
ここでは、ユーザＢの「ひとごとのように聞こえるのは気のせい？」というメッセージが既に投稿されていたとする。そして、このユーザＢの「ひとごとのように聞こえるのは気のせい？」というメッセージが、ドラッグ＆ドロップ操作の結果、関連付け表示エリアに移動されたとする。
この場合、投稿部１２３は、指定された関連先が関連付け表示エリアであることを示す関連付け情報を作成し、作成した関連付け情報を「ひとごとのように聞こえるのは気のせい？」というメッセージに対応付けて、投稿情報管理サーバ２に送信する。
これにより、投稿情報管理サーバ２の登録部２２１は、「ひとごとのように聞こえるのは気のせい？」というメッセージを投稿情報テーブルに書き込む際、このメッセージに対応付けて、指定された関連先である関連付け表示エリアを示す関連付け情報を書き込む。
【００７２】
なお、ユーザＣの「人生楽ありゃ苦もあるさ」というメッセージは、既に、ユーザＢのドラッグ＆ドロップ操作の結果、関連付け表示エリアに移動されていたとする。
この場合、投稿情報管理サーバ２の画像生成部２２２は、ステップＳＴ３１において作成した投稿表示画面に対して、関連付け表示エリアに表示されている他のメッセージ（つまり、ユーザＣの「人生楽ありゃ苦もあるさ」というメッセージ）に関連づけられていることを表す表示態様で、ユーザＢの「ひとごとのように聞こえるのは気のせい？」というメッセージを追加した投稿表示画面を作成する。例えば、画像生成部２２２は、表示態様例１〜４のうちいずれか一つの表示態様例に従って、投稿表示画面を作成する。なお、ここでは、関連先のメッセージが特定されていないため、画像生成部２２２は、関連先の関連付け表示エリアに表示されている最新のメッセージに関連付けた表示態様の投稿表示画面を作成するものであってもよい。また、画像生成部２２２は、関連付け対象であるメッセージを、関連付け表示エリアに表示するとともに、関連付されていない状態のまま、各ユーザの表示エリアに表示するものであってもよい。
そして、投稿情報管理サーバ２は、作成した投稿表示画面のデータをユーザ端末３に送信し、ユーザ端末３は、受信したデータに基づき投稿表示画面を表示する。
これにより、投稿された関連付け対象であるメッセージを、被関連付け対象であるメッセージに関連付けて表示する投稿表示画面を、ユーザ端末３に表示させることができる。
【００７３】
次に、図１５を参照して、予め決められた関連付け表示エリアに移動された関連付け対象であるメッセージを、被関連付け対象であるメッセージに関連付けるための方法の一例について説明する。図１５は、被関連付け対象であるメッセージに、関連付け対象であるメッセージを関連付けるための方法の一例について説明するためのフローチャートである。なお、ここでは、図６〜８を参照して説明した表示態様例１〜３において、ユーザＣの「人生楽ありゃ苦もあるさ」というメッセージに対して、ユーザＢの「ひとごとのように聞こえるのは気のせい？」というメッセージを関連付けるための方法の一例を用いて具体的に説明する。
【００７４】
（ステップＳＴ４１）
上述のステップＳＴ１１と同じ処理であるため、詳細な説明は省略する。
（ステップＳＴ４２）
次いで、ユーザ端末３の投稿部１２３は、タッチパネル１０１に表示される入力欄を介して入力されたメッセージの投稿が指示された場合、投稿されたメッセージを関連付けないことが指定されたか否かを判定する。ここで、投稿部１２３は、積極的にメッセージを関連付けないことを指示する操作をユーザが実行したか否かを判定する。例えば、投稿表示画面に「新規」という操作ボタンが表示されている場合、投稿部１２３は、タッチパネル１０１に表示される入力欄を介して入力されたメッセージを投稿する際に、「新規」という操作ボタンがタッチされたか否かを判定する。
また、投稿部１２３は、タッチパネル１０１に表示される入力欄を介して入力されたメッセージの投稿が指示された場合、投稿されたメッセージ内に、関連付け対象でないことを示す文字が含まれているか否かを判定する。例えば、「ところで」、「そういえば」、「関係ないけど」等の会話の内容が変わることを示す接続詞等が投稿されたメッセージに含まれている場合、投稿部１２３は、関連付け対象でないことを示す文字が含まれていると判定する。
【００７５】
（ステップＳＴ４３）
投稿されたメッセージを関連付けないことが指定されたと判定した場合、例えば、「新規」という操作ボタンがタッチされたと判定した場合、投稿部１２３は、いずれのメッセージにも関連付けないで、メッセージを投稿する。つまり、投稿部１２３は、メッセージを投稿情報管理サーバ２に送信する際、関連付け情報を対応付けないでメッセージを投稿する。
【００７６】
（ステップＳＴ４４）
一方、投稿されたメッセージを関連付けないことが指定されていないと判定した場合、例えば、「新規」という操作ボタンがタッチされていないと判定した場合、投稿部１２３は、最新のメッセージに対して、投稿されたメッセージを関連付ける。
【００７７】
次に、図１６を参照して、被関連付け対象であるメッセージに、関連付け対象であるメッセージを関連付けるための方法の一例について説明する。図１６は、被関連付け対象であるメッセージに、関連付け対象であるメッセージを関連付けるための方法の一例について説明するためのフローチャートである。
【００７８】
（ステップＳＴ５１）
上述のステップＳＴ１１と同じ処理であるため、詳細な説明は省略する。
（ステップＳＴ５２）
次いで、ユーザ端末３の投稿部１２３は、タッチパネル１０１に表示される入力欄を介して入力されたメッセージの投稿が指示された場合、投稿されたメッセージを関連付ける関連先が指定されたか否かを判定する。ここでは、投稿されたメッセージを関連付ける関連先が指定されないとする。ユーザ端末３は、投稿されたメッセージに関連付け情報を付与せずに、投稿情報管理サーバ２にメッセージを送信する。
投稿情報管理サーバ２は、受信したメッセージに含まれる文字情報を解析し、投稿されたトークルーム内において過去に投稿されたメッセージ内に、解析の結果得られた投稿されたメッセージに含まれる文字情報と共通する文字が含まれているか否かを判定する。つまり、投稿情報管理サーバ２は、投稿されたメッセージが関連付け対象の条件を満たすか否かを判定する。
【００７９】
（ステップＳＴ５３）
そして、例えば、同一又は類似する地名、人物名、団体の名称、作品名、それ以外の頻出キーワード等が、所定期間内の過去に投稿されたメッセージと現時点において投稿されたメッセージに含まれている場合、投稿情報管理サーバ２は、両者が関連付け対象の条件を満たすと判定する。そして、投稿情報管理サーバ２は、関連付け対象の条件を満たすメッセージ同士を関連付けた投稿表示画面のデータを作成し、ユーザ端末１，３，４に送信する。よって、ユーザ端末１，３，４は、投稿情報管理サーバ２から受信した投稿表示画面のデータに基づき、例えば、表示態様例１〜３に示すような表示態様で関連付け対象の条件を満たすメッセージ同士が関連付けられた投稿表示画面を表示する。
（ステップＳＴ５４）
一方、同一又は類似する地名、人物名、団体の名称、作品名、それ以外の頻出キーワード等が、所定期間内の過去に投稿されたメッセージと現時点において投稿されたメッセージに含まれていない場合、投稿情報管理サーバ２は、両者が関連付け対象の条件を満たさないと判定する。そして、投稿情報管理サーバ２は、条件を満たさないメッセージを関連付けない投稿表示画面のデータを作成し、ユーザ端末１，３，４に送信する。よって、ユーザ端末１，３，４は、投稿情報管理サーバ２から受信した投稿表示画面のデータに基づく投稿表示画面を表示する。
【００８０】
なお、本実施の形態に係るユーザ端末１，３，４及び投稿情報管理サーバ２は、内部にコンピュータシステムを有している。そして、動作の過程は、プログラムの形式でコンピュータ読み取り可能な記録媒体に記憶されており、このプログラムをコンピュータシステムが読み出して実行する結果、上記処理が行われる。ここでいう「コンピュータシステム」とは、ＣＰＵ及び各種メモリやＯＳ（Ｏｐｅｒａｔｉｎｇ  Ｓｙｓｔｅｍ）、周辺機器等のハードウェアを含むものである。
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。
【００８１】
また、各ステップの機能を実現するためのプログラムをコンピュータ読み取り可能な記録媒体に記録して、この記録媒体に記録されたプログラムをコンピュータシステムに読み込ませ、実行するものでもよい。
また、「コンピュータ読み取り可能な記録媒体」とは、フレキシブルディスク、光磁気ディスク、ＲＯＭ（Ｒｅａｄ  Ｏｎｌｙ  Ｍｅｍｏｒｙ）、フラッシュメモリ等の書き込み可能な不揮発性メモリ、ＣＤ（Ｃｏｍｐａｃｔ  Ｄｉｓｃ）−ＲＯＭ等の可搬媒体、コンピュータシステムに内蔵されるハードディスク等の記憶装置のことをいう。
【００８２】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波を用いて他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、上記プログラムは、前述した機能をコンピュータシステムに既に記録されているプログラムとの組合せで実現できるもの、いわゆる差分ファイル（差分プログラム）であっても良い。
【００８３】
その他、本発明の趣旨を逸脱しない範囲で、上記した実施形態における構成要素を周知の構成要素に置き換えることは適宜可能である。また、この発明の技術範囲は上記の実施形態に限られるものではなく、本発明の趣旨を逸脱しない範囲において種々の変更を加えることが可能である。
【００８４】
この出願は、２０１３年３月２９日に出願された日本出願特願２０１３−０７０８７６号を基礎とする優先権を主張し、その開示の全てをここに取り込む。
【産業上の利用可能性】
【００８５】
本発明は、例えば、チャットシステムに適用することができる。本発明は、過去に投稿されたメッセージと関連付けられた最新のメッセージがユーザに見落とされることを防止することができる。
【符号の説明】
【００８６】
１  ユーザ端末
２  投稿情報管理サーバ
３  ユーザ端末
４  ユーザ端末
５  無線通信網
６  インターネット
１０１  タッチパネル
１１１  入力部
１１２  表示部
１０２  制御部
１２１  操作内容判定部
１２２  表示制御部
１２３  投稿部
１０３  通信部
１０４  記憶部
２０１  入力部
２０２  制御部
２２１  登録部
２２２  画像生成部
２０３  通信部
２０４  記憶部
【図１】
2014157148.tif 000003
【図２】
2014157148.tif 000004
【図３】
2014157148.tif 000005
【図４】
2014157148.tif 000006
【図５】
2014157148.tif 000007
【図６】
2014157148.tif 000008
【図７】
2014157148.tif 000009
【図８】
2014157148.tif 000010
【図９】
2014157148.tif 000011
【図１０】
2014157148.tif 000012
【図１１】
2014157148.tif 000013
【図１２】
2014157148.tif 000014
【図１３】
2014157148.tif 000015
【図１４】
2014157148.tif 000016
【図１５】
2014157148.tif 000017
【図１６】
2014157148.tif 000018
【国際調査報告】
2014157148.tif 000019
2014157148.tif 000020
2014157148.tif 000021
2014157148.tif 000022